【手続補正書】
【提出日】平成19年7月31日(2007.7.31)
【手続補正１】
【補正対象書類名】明細書
【補正対象項目名】発明の名称
【補正方法】変更
【補正の内容】
【発明の名称】カラーフィルタ及びカラーフィルタの製造方法及び液晶パネルの製造方法及び表示装置用のパネルの製造方法及びインク充填量の決定方法及び表示装置用のパネル
【手続補正２】
【補正対象書類名】明細書
【補正対象項目名】特許請求の範囲
【補正方法】変更
【補正の内容】
【特許請求の範囲】
【請求項１】  基板上に設けられた隔壁により囲まれる凹部にインクを充填することにより形成された着色部であって、前記凹部内にある着色部の底面から表面までの長さの平均値が前記隔壁の底部から頂部までの長さの２０％〜８０％の長さである着色部と、
前記着色部の表面の上及び前記隔壁の頂部の上に形成された保護部とを有し、
前記隔壁の頂部の上に形成された前記保護部の底面から表面までの長さは、前記着色部の表面の上に形成された前記保護部の底面から表面までの長さより短く、
前記保護部を形成するための材料は加熱溶融型の材料であることを特徴とするカラーフィルタ。
【請求項２】  基板上に設けられ隔壁により囲まれる凹部にインクを充填することにより形成された着色部を有するカラーフィルタを製造する方法であって、
前記凹部内にある着色部の底面から表面までの長さの平均値が前記隔壁の底部から頂部までの長さの２０％〜８０％の長さとなるように、前記着色部を形成する工程と、
前記着色部の表面の上及び前記隔壁の頂部の上に保護部を形成する工程とを有し、
前記隔壁の頂部の上に形成される前記保護部の底面から表面までの長さは、前記着色部の表面の上に形成される前記保護部の底面から表面までの長さより短く、
前記保護部を形成するための材料は加熱溶融型の材料であることを特徴とするカラーフィルタの製造方法。
【請求項３】  前記隔壁の頂部の上に形成される前記保護部の底面から表面までの長さが０．１μｍ以上０．５μｍ未満であり、前記着色部の表面の上に形成される前記保護部の底面から表面までの長さが０．５μｍ以上３μｍ未満であることを特徴とする請求項２に記載のカラーフィルタの製造方法。
【請求項４】  第１のインク量のインクを第１の凹部内に充填することで形成された着色部の底面から表面までの長さの平均値と、第２のインク量のインクを第２の凹部内に充填することで形成された着色部の底面から表面までの長さの平均値と、を少なくとも測定する測定工程と、
前記測定工程において測定された少なくとも２つの平均値とそれらに対応する少なくとも２つのインク量とから、前記着色部の底面から表面までの長さの平均値とインク量との関係を表すデータを作成する作成工程と、
前記作成工程において作成されたデータに基づいて、前記着色部の底面から表面までの長さの平均値が前記隔壁の底部から頂部までの長さの２０％〜８０％の長さとなるように、前記凹部内に充填すべき第３のインク量を決定する決定工程とを更に有し、
前記着色部を形成する工程では、前記第３のインク量のインクを前記凹部内に充填し、前記凹部内に着色部を形成することを特徴とする請求項２または３に記載のカラーフィルタの製造方法。
【請求項５】  第１のインク量のインクを前記凹部内に充填することで形成された着色部の底面から表面までの長さの平均値を測定する測定工程と、
前記測定工程において測定された平均値とそれに対応する前記第１のインク量とから、前記着色部の底面から表面までの長さの平均値とインク量との関係を表すデータを作成する作成工程と、
前記作成工程において作成されたデータに基づいて、前記着色部の底面から表面までの長さの平均値が前記隔壁の底部から頂部までの長さの２０％〜８０％の長さとなるように、前記凹部内に充填すべき第２のインク量を決定する決定工程とを更に有し、
前記着色部を形成する工程では、前記第２のインク量のインクを前記凹部内に充填し、前記凹部内に着色部を形成することを特徴とする請求項２または３に記載のカラーフィルタの製造方法。
【請求項６】  前記着色部の底面から表面までの長さの平均値は、前記隔壁の底部から頂部までの長さの４０％〜６０％の長さであることを特徴とする請求項２乃至５のいずれか１項に記載のカラーフィルタの製造方法。
【請求項７】  前記着色部の底面から表面までの長さの平均値は、前記隔壁の底部から頂部までの長さの略５０％の長さであることを特徴とする請求項２乃至５のいずれか１項に記載のカラーフィルタの製造方法。
【請求項８】  前記隔壁の底部から頂部までの平均の長さが１μｍより長いことを特徴とする請求項２乃至７のいずれか１項に記載のカラーフィルタの製造方法。
【請求項９】  前記隔壁の底部から頂部までの平均の長さが２〜３μｍであることを特徴とする請求項２乃至８のいずれか１項に記載のカラーフィルタの製造方法。
【請求項１０】  前記着色部の底面から表面までの長さの平均値が０．６μｍより長いことを特徴とする請求項２乃至９のいずれか１項に記載のカラーフィルタの製造方法。
【請求項１１】  前記隔壁は、光を遮光するためのブラックマトリクスであり、当該ブラックマトリクスの頂部は撥インク性であることを特徴とする請求項２乃至１０のいずれか１項に記載のカラーフィルタの製造方法。
【請求項１２】  前記着色部の底面から表面までの長さの平均値が前記隔壁の底部から頂部までの長さの２０％〜８０％となっているかどうかを検査する検査工程を更に備えることを特徴とする請求項２乃至１１のいずれか１項に記載のカラーフィルタの製造方法。
【請求項１３】  基板上に設けられた隔壁により囲まれる凹部にインクを充填して着色部を有するカラーフィルタを製造する方法であって、
第１のインク量のインクを第１の凹部内に充填することで形成された着色部の底面から表面までの長さの平均値と、第２のインク量のインクを第２の凹部内に充填することで形成された着色部の底面から表面までの長さの平均値と、を少なくとも測定する測定工程と、前記測定工程において測定された少なくとも２つの平均値とそれらに対応する少なくとも２つのインク量とから、着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％の長さとなるように、前記凹部内に充填すべき第３のインク量を決定する決定工程と、を少なくとも実行することにより得られた前記第３のインク量に関する情報を用意する工程と、
前記第３のインク量のインクを前記凹部内に充填し、前記凹部内に着色部を形成する形成工程と、
前記着色部の表面の上及び前記隔壁の頂部の上に保護部を形成する工程とを備え、
前記隔壁の頂部の上に形成される前記保護部の底面から表面までの長さは、前記着色部の表面の上に形成される前記保護部の底面から表面までの長さより短いことを特徴とするカラーフィルタの製造方法。
【請求項１４】  基板上に設けられた隔壁により囲まれる凹部にインクを充填して着色部を有するカラーフィルタを製造する方法であって、
第１のインク量のインクを前記凹部内に充填することで形成された着色部の底面から表面までの長さの平均値を測定する測定工程と、前記測定工程において測定された平均値とそれに対応する前記第１のインク量とから、着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％の長さとなるように、前記凹部内に充填すべき第２のインク量を決定する決定工程と、を少なくとも実行することにより得られた前記第２のインク量に関する情報を用意する工程と、
前記第２のインク量のインクを前記凹部内に充填し、前記凹部内に着色部を形成する形成工程と、
前記着色部の表面の上及び前記隔壁の頂部の上に保護部を形成する工程とを備え、
前記隔壁の頂部の上に形成される前記保護部の底面から表面までの長さは、前記着色部の表面の上に形成される前記保護部の底面から表面までの長さより短いことを特徴とするカラーフィルタの製造方法。
【請求項１５】  カラーフィルタを備えた液晶パネルの製造方法であって、
請求項１に記載のカラーフィルタあるいは請求項２乃至１４のいずれか１項に記載の製造方法により製造されるカラーフィルタを用意する工程と、
用意されたカラーフィルタと対向基板との間に液晶化合物を充填する工程と、
を具備することを特徴とする液晶パネルの製造方法。
【請求項１６】  基板上に設けられた隔壁により囲まれる凹部に、蒸発性の第１成分と前記第１成分の蒸発後に固形部となる第２成分とを含む液体材料を充填して固形部を有する表示装置用のパネルを製造する方法であって、
第１の量の液体材料を第１の凹部内に充填することで形成された固形部の底面から表面までの長さの平均値と第２の量の液体材料を第２の凹部内に充填することで形成された固形部の底面から表面までの長さの平均値とを少なくとも測定する測定工程と、前記測定工程において測定された少なくとも２つの平均値とそれらに対応する少なくとも２つの液体材料の量とから、前記固形部の底面から表面までの長さの平均値と液体材料の量との関係を表すデータを作成する作成工程と、前記作成工程において作成されたデータに基づいて、前記固形部の底面から表面までの長さの平均値が所定の範囲内となるように、前記凹部内に充填すべき第３の量を決定する決定工程と、を少なくとも実行することにより得られた前記第３の量に関する情報を用意する工程と、
前記第３の量の液体材料を前記凹部内に充填し、前記凹部内に固形部を形成する形成工程とを備え、
前記所定の範囲内の長さは、前記隔壁の底部から頂部までの長さの２０％〜８０％の長さであることを特徴とする、表示装置用のパネルの製造方法。
【請求項１７】  基板上に設けられた隔壁により囲まれる凹部に、蒸発性の第１成分と前記第１成分の蒸発後に固形部となる第２成分とを含む液体材料を充填して固形部を有する表示装置用のパネルを製造する方法であって、
第１の量の液体材料を前記凹部内に充填することで形成された固形部の底面から表面までの長さの平均値を測定する測定工程と、前記測定工程において測定された平均値とそれに対応する前記第１の量とから、前記固形部の底面から表面までの長さの平均値と液体材料の量との関係を表すデータを作成する作成工程と、前記作成工程において作成されたデータに基づいて、前記固形部の底面から表面までの長さの平均値が所定の範囲内となるように、前記凹部内に充填すべき第２の量を決定する決定工程と、を少なくとも実行することにより得られた前記第２の量に関する情報を用意する工程と、
前記第２の量の液体材料を前記凹部内に充填し、前記凹部内に固形部を形成する形成工程とを備え、
前記所定の範囲内の長さは、前記隔壁の底部から頂部までの長さの２０％〜８０％の長さであることを特徴とする、表示装置用のパネルの製造方法。
【請求項１８】  前記表示装置用のパネルは、カラーフィルタあるいはエレクトロルミネッセンス素子であることを特徴とする請求項１６または１７に記載の表示装置用のパネルの製造方法。
【請求項１９】  基板上に設けられた隔壁により囲まれる凹部にインクを充填して着色部を有するカラーフィルタを製造するときの、前記インクの充填量を決定する方法であって、
第１のインク量のインクを第１の凹部内に充填することで形成された着色部の底面から表面までの長さの平均値と、第２のインク量のインクを第２の凹部内に充填することで形成された着色部の底面から表面までの長さの平均値と、を少なくとも測定する測定工程と、
前記測定工程において測定された少なくとも２つの平均値とそれらに対応する少なくとも２つのインク量とから、前記着色部の底面から表面までの長さの平均値とインク量との関係を表すデータを作成する作成工程と、
前記作成工程において作成されたデータに基づいて、前記着色部の底面から表面までの長さの平均値が前記隔壁の底部から頂部までの長さの２０％〜８０％となるように、前記凹部内に充填すべき第３のインク量を決定する決定工程と、
を備えることを特徴とするインク充填量の決定方法。
【請求項２０】  基板上に設けられた隔壁により囲まれる凹部に形成された着色部を有する表示装置用のパネルであって、
前記隔壁の厚さよりも薄い着色部と、
前記着色部の表面の上及び前記隔壁の頂部の上に形成された保護部とを有し、
前記隔壁の頂部の上に形成される前記保護部の厚さが前記着色部の表面の上に形成される前記保護部の厚さよりも薄く、スペーサが少なくとも前記隔壁の上に配置されることを特徴とする表示装置用のパネル。
【手続補正３】
【補正対象書類名】明細書
【補正対象項目名】００２６
【補正方法】変更
【補正の内容】
【００２６】
【課題を解決するための手段】
上述した課題を解決し、目的を達成するために、本発明に係わるカラーフィルタは、基板上に設けられた隔壁により囲まれる凹部にインクを充填することにより形成された着色部であって、前記凹部内にある着色部の底面から表面までの長さの平均値が前記隔壁の底部から頂部までの長さの２０％〜８０％の長さである着色部と、前記着色部の表面の上及び前記隔壁の頂部の上に形成された保護部とを有し、前記隔壁の頂部の上に形成された前記保護部の底面から表面までの長さは、前記着色部の表面の上に形成された前記保護部の底面から表面までの長さより短く、前記保護部を形成するための材料は加熱溶融型の材料であることを特徴とする。
【手続補正４】
【補正対象書類名】明細書
【補正対象項目名】００２７
【補正方法】変更
【補正の内容】
【００２７】
また、本発明に係わるカラーフィルタの製造方法は、基板上に設けられ隔壁により囲まれる凹部にインクを充填することにより形成された着色部を有するカラーフィルタを製造する方法であって、前記凹部内にある着色部の底面から表面までの長さの平均値が前記隔壁の底部から頂部までの長さの２０％〜８０％の長さとなるように、前記着色部を形成する工程と、前記着色部の表面の上及び前記隔壁の頂部の上に保護部を形成する工程とを有し、前記隔壁の頂部の上に形成される前記保護部の底面から表面までの長さは、前記着色部の表面の上に形成される前記保護部の底面から表面までの長さより短く、前記保護部を形成するための材料は加熱溶融型の材料であることを特徴とする。
【手続補正５】
【補正対象書類名】明細書
【補正対象項目名】００２８
【補正方法】変更
【補正の内容】
【００２８】
また、本発明に係わるカラーフィルタの製造方法は、第１のインク量のインクを前記凹部内に充填することで形成された着色部の底面から表面までの長さの平均値を測定する測定工程と、前記測定工程において測定された平均値とそれに対応する前記第１のインク量とから、前記着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％の長さとなるように、前記凹部内に充填すべき第２のインク量を決定する決定工程とを更に有し、前記着色部を形成する工程では、前記第２のインク量のインクを前記凹部内に充填し、前記凹部内に着色部を形成することを特徴とする。
【手続補正６】
【補正対象書類名】明細書
【補正対象項目名】００２９
【補正方法】変更
【補正の内容】
【００２９】
また、本発明に係わるカラーフィルタの製造方法は、基板上に設けられた隔壁により囲まれる凹部にインクを充填して着色部を有するカラーフィルタを製造する方法であって、第１のインク量のインクを第１の凹部内に充填することで形成された着色部の底面から表面までの長さの平均値と、第２のインク量のインクを第２の凹部内に充填することで形成された着色部の底面から表面までの長さの平均値と、を少なくとも測定する測定工程と、前記測定工程において測定された少なくとも２つの平均値とそれらに対応する少なくとも２つのインク量とから、着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％の長さとなるように、前記凹部内に充填すべき第３のインク量を決定する決定工程と、を少なくとも実行することにより得られた前記第３のインク量に関する情報を用意する工程と、前記第３のインク量のインクを前記凹部内に充填し、前記凹部内に着色部を形成する形成工程と、前記着色部の表面の上及び前記隔壁の頂部の上に保護部を形成する工程とを備え、前記隔壁の頂部の上に形成される前記保護部の底面から表面までの長さは、前記着色部の表面の上に形成される前記保護部の底面から表面までの長さより短いことを特徴とする。
【手続補正７】
【補正対象書類名】明細書
【補正対象項目名】００３０
【補正方法】変更
【補正の内容】
【００３０】
また、本発明に係わるカラーフィルタの製造方法は、基板上に設けられた隔壁により囲まれる凹部にインクを充填して着色部を有するカラーフィルタを製造する方法であって、第１のインク量のインクを前記凹部内に充填することで形成された着色部の底面から表面までの長さの平均値を測定する測定工程と、前記測定工程において測定された平均値とそれに対応する前記第１のインク量とから、着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％の長さとなるように、前記凹部内に充填すべき第２のインク量を決定する決定工程と、を少なくとも実行することにより得られた前記第２のインク量に関する情報を用意する工程と、前記第２のインク量のインクを前記凹部内に充填し、前記凹部内に着色部を形成する形成工程と、前記着色部の表面の上及び前記隔壁の頂部の上に保護部を形成する工程とを備え、前記隔壁の頂部の上に形成される前記保護部の底面から表面までの長さは、前記着色部の表面の上に形成される前記保護部の底面から表面までの長さより短いことを特徴とする。
【手続補正８】
【補正対象書類名】明細書
【補正対象項目名】００３１
【補正方法】変更
【補正の内容】
【００３１】
また、本発明に係わる液晶パネルの製造方法は、カラーフィルタを備えた液晶パネルの製造方法であって、上記のカラーフィルタあるいは上記の製造方法により製造されるカラーフィルタを用意する工程と、用意されたカラーフィルタと対向基板との間に液晶化合物を充填する工程と、を具備することを特徴とする。
【手続補正９】
【補正対象書類名】明細書
【補正対象項目名】００３２
【補正方法】変更
【補正の内容】
【００３２】
また、本発明に係わる表示装置用のパネルの製造方法は、基板上に設けられた隔壁により囲まれる凹部に、蒸発性の第１成分と前記第１成分の蒸発後に固形部となる第２成分とを含む液体材料を充填して固形部を有する表示装置用のパネルを製造する方法であって、第１の量の液体材料を第１の凹部内に充填することで形成された固形部の底面から表面までの長さの平均値と第２の量の液体材料を第２の凹部内に充填することで形成された固形部の底面から表面までの長さの平均値とを少なくとも測定する測定工程と、前記測定工程において測定された少なくとも２つの平均値とそれらに対応する少なくとも２つの液体材料の量とから、前記固形部の底面から表面までの長さの平均値と液体材料の量との関係を表すデータを作成する作成工程と、前記作成工程において作成されたデータに基づいて、前記固形部の底面から表面までの長さの平均値が所定の範囲内となるように、前記凹部内に充填すべき第３の量を決定する決定工程と、を少なくとも実行することにより得られた前記第３の量に関する情報を用意する工程と、前記第３の量の液体材料を前記凹部内に充填し、前記凹部内に固形部を形成する形成工程とを備え、前記所定の範囲内の長さは、前記隔壁の底部から頂部までの長さの２０％〜８０％の長さであることを特徴とする。
【手続補正１０】
【補正対象書類名】明細書
【補正対象項目名】００３３
【補正方法】変更
【補正の内容】
【００３３】
また、本発明に係わる表示装置用のパネルの製造方法は、基板上に設けられた隔壁により囲まれる凹部に、蒸発性の第１成分と前記第１成分の蒸発後に固形部となる第２成分とを含む液体材料を充填して固形部を有する表示装置用のパネルを製造する方法であって、第１の量の液体材料を前記凹部内に充填することで形成された固形部の底面から表面までの長さの平均値を測定する測定工程と、前記測定工程において測定された平均値とそれに対応する前記第１の量とから、前記固形部の底面から表面までの長さの平均値と液体材料の量との関係を表すデータを作成する作成工程と、前記作成工程において作成されたデータに基づいて、前記固形部の底面から表面までの長さの平均値が所定の範囲内となるように、前記凹部内に充填すべき第２の量を決定する決定工程と、を少なくとも実行することにより得られた前記第２の量に関する情報を用意する工程と、前記第２の量の液体材料を前記凹部内に充填し、前記凹部内に固形部を形成する形成工程とを備え、前記所定の範囲内の長さは、前記隔壁の底部から頂部までの長さの２０％〜８０％の長さであることを特徴とする。
【手続補正１１】
【補正対象書類名】明細書
【補正対象項目名】００３４
【補正方法】変更
【補正の内容】
【００３４】
また、本発明に係わるインク充填量の決定方法は、基板上に設けられた隔壁により囲まれる凹部にインクを充填して着色部を有するカラーフィルタを製造するときの、前記インクの充填量を決定する方法であって、第１のインク量のインクを第１の凹部内に充填することで形成された着色部の底面から表面までの長さの平均値と、第２のインク量のインクを第２の凹部内に充填することで形成された着色部の底面から表面までの長さの平均値と、を少なくとも測定する測定工程と、前記測定工程において測定された少なくとも２つの平均値とそれらに対応する少なくとも２つのインク量とから、前記着色部の底面から表面までの長さの平均値とインク量との関係を表すデータを作成する作成工程と、前記作成工程において作成されたデータに基づいて、前記着色部の底面から表面までの長さの平均値が前記隔壁の底部から頂部までの長さの２０％〜８０％となるように、前記凹部内に充填すべき第３のインク量を決定する決定工程と、を備えることを特徴とする。
【手続補正１２】
【補正対象書類名】明細書
【補正対象項目名】００３５
【補正方法】変更
【補正の内容】
【００３５】
また、本発明に係わる表示装置用のパネルは、基板上に設けられた隔壁により囲まれる凹部に形成された着色部を有する表示装置用のパネルであって、前記隔壁の厚さよりも薄い着色部と、前記着色部の表面の上及び前記隔壁の頂部の上に形成された保護部とを有し、前記隔壁の頂部の上に形成される前記保護部の厚さが前記着色部の表面の上に形成される前記保護部の厚さよりも薄く、スペーサが少なくとも前記隔壁の上に配置されることを特徴とする。
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】